(57)【要約】【課題】  深さの異なる色々な種類の食器を無理なくセットできて、それぞれ正常に洗浄できるようにする。【解決手段】  食器かご１４の食器支持部４０を回動させることで、該食器支持部４０におけるピッチの異なる第１の支え部材４３と第２の支え部材４４との起立の選択がなされる。それにより、食器の深さに合う方の支え部材を起立させて、食器のセットが無理なくできる。かくして、洗浄不良や乾燥不良等を生じることもなく、深さの異なる色々な種類の食器をそれぞれ正常に洗浄できる。【選択図】  図１
2006239140.tif 000002
【特許請求の範囲】
【請求項１】
洗浄槽と、この洗浄槽の内部に食器を配列する食器かごと、前記洗浄槽の内部に配列された食器を洗浄する洗浄機構とを具備し、
前記食器かごにおいて前記食器を起立状態に支持する食器支持部を、
複数本のベース部材と、
このベース部材に所定のピッチで複数突設された第１の支え部材と、
前記ベース部材にピッチ及び角度を前記第１の支え部材と異ならせて複数突設された第２の支え部材とを具備して成る構成とし、
この食器支持部を前記食器かごに回動可能に設け、その回動により前記第１の支え部材と第２の支え部材との起立の選択がなされることを特徴とする食器洗浄機。
【請求項２】
複数本のベース部材を連結部材で連結したことを特徴とする請求項１記載の食器洗浄機。
【請求項３】
複数本のベース部材を操作するための共通の操作部材によって複数本のベース部材を連結したことを特徴とする請求項１記載の食器洗浄機。
【請求項４】
ベース部材を操作するための操作部材を食器かごの外周部又はその近傍に設けたことを特徴とする請求項１記載の食器洗浄機。
【請求項５】
ベース部材を操作するための操作部材の操作に関して、食器支持部が支持可能な食器の種類を表す表示を有することを特徴とする請求項１記載の食器洗浄機。
【請求項６】
食器支持部が複数組存し、その複数組の食器支持部における第１の支え部材と第２の支え部材とのピッチの違いが異なることを特徴とする請求項１記載の食器洗浄機。
【請求項７】
食器支持部を第１の支え部材が起立する状態と第２の支え部材が起立する状態とに押え保持する押え部材を有することを特徴とする請求項１記載の食器洗浄機。
【請求項８】
食器支持部が複数存し、この複数の食器支持部に共通に押え部材を設けたことを特徴とする請求項７記載の食器洗浄機。
【発明の詳細な説明】
【技術分野】
【０００１】
本発明は、食器かごの食器支持部を改良した食器洗浄機に関する。
【背景技術】
【０００２】
従来より、食器洗浄機においては、茶碗や汁椀、皿等の食器が食器かごによって洗浄槽の内部に配列され、この配列された食器を、ポンプや噴水アーム等から成る洗浄機構により洗浄するようになっている。
又、食器かごにおいては、食器を配列する部分が、一般に、かごの底部ワイヤに溶接して立設された複数のワイヤ、又はプラスチック製のかごに一体成形された複数の突起で構成されており、このワイヤ又は突起の各間に食器を差し込んで起立状態で支持するようになっている。
【特許文献１】特開２００１−２３１７３７
【発明の開示】
【発明が解決しようとする課題】
【０００３】
しかしながら、食器は、各家庭で異なるもの、特には深さの異なるものが数多くあり、これらの食器を上記従来の食器かごのワイヤ又は突起の各間にセットしきることは不可能であり、結局は、使用者が食器かごのワイヤ又は突起の各間に合う食器のみをセットして洗浄するしかなかった。又、食器かごのワイヤ又は突起の各間に合わない食器を無理に置いて洗浄した場合には、洗浄不良や乾燥不良等を生じる不具合を発生していた。
【０００４】
本発明は上述の事情に鑑みてなされたものであり、従ってその目的は、深さの異なる色々な種類の食器を無理なくセットできて、それぞれ正常に洗浄できる食器洗浄機を提供するにある。
【課題を解決するための手段】
【０００５】
上記目的を達成するために、本発明の食器洗浄機においては、洗浄槽と、この洗浄槽の内部に食器を配列する食器かごと、前記洗浄槽の内部に配列された食器を洗浄する洗浄機構とを具備し、前記食器かごにおいて前記食器を起立状態に支持する食器支持部を、複数本のベース部材と、このベース部材に所定のピッチで複数突設された第１の支え部材と、前記ベース部材にピッチ及び角度を前記第１の支え部材と異ならせて複数突設された第２の支え部材とを具備して成る構成とし、この食器支持部を前記食器かごに回動可能に設け、その回動により前記第１の支え部材と第２の支え部材との起立の選択がなされることを特徴とする（請求項１の発明）。
【発明の効果】
【０００６】
上記手段によれば、食器かごの食器支持部を回動させることで、ピッチの異なる第１の支え部材と第２の支え部材との起立の選択がなされるから、食器の深さに合う方の支え部材を起立させ、それによって食器のセットが無理なくできる。よって、洗浄不良や乾燥不良等を生じることもなく、深さの異なる色々な種類の食器をそれぞれ正常に洗浄できる。
【発明を実施するための最良の形態】
【０００７】
以下、本発明の第１実施例（第１の実施形態）につき、図１ないし図１５を参照して説明する。
まず、図２には、食器洗浄機の全体構成を示しており、本体１の前面部に扉２を設けている。扉２は、この場合、下扉２ａと上扉２ｂとから成っており、そのうちの下扉２ａに取手３とロック解除ボタン４とを設けていて、使用者が取手３を持ち、ロック解除ボタン４を押して、取手３を手前に引けば、下扉２ａが下端部の軸５を中心に下方へ回動して開き、それに連動して上扉２ｂが上端部の軸６を中心に上方へ回動して開くようになっている。
【０００８】
扉２の下方には制御装置７を配設しており、この制御装置７は例えばマイクロコンピュータから成り、食器洗浄機の運転全般を制御するようになっている。
本体１は、外箱８を外殻とし、これの内部に洗浄槽９を配設している。洗浄槽９は前面が食器出入口１０として開口しており、その食器出入口１０を前記扉２（下扉２ａ、上扉２ｂ）で開閉するようにしている。
【０００９】
洗浄槽９内には、底部に例えばシーズ線から成るヒータ１１を配設しており、これの上方に噴射体としての噴水アーム１２を、パイプ状のアーム支え１３により回転可能に接続支持して配設している。
更に、洗浄槽９内の噴水アーム１２より上方の部分には、下段の食器かご１４を配設しており、この下段の食器かご１４は、洗浄槽９内に茶碗や汁椀１５、並びに図３に示す小皿１６、はし１７、スプーン１８、大皿１９を初めとする食器を配列するためのもので、その詳細については、後に詳述する。なお、はし１７及びスプーン１８を収納するのに、下段の食器かご１４には小物入れケース２０を設けている。
【００１０】
そして、洗浄槽９内の下段の食器かご１４より更に上方の部分には、上段の食器かご２１を配設しており、この上段の食器かご２１は、洗浄槽９内にコップ２２やマグカップ２３を初めとする食器を配列するためのもので、そのほか、湯飲茶碗等を配列することも可能である。
【００１１】
洗浄槽９の背部には、図２に示す給水弁２４を取付けており、この給水弁２４には図示しない水道に通じる給水管２５を接続している。洗浄槽９の外下方部には、洗浄ポンプ２６と、排水ポンプ２７、及びこれらを駆動する共通のポンプモータ２８を配設している。ポンプモータ２８は、例えば時計回りの正転及び反時計回りの逆転の両方向に回転可能で、その正転により洗浄ポンプ２６を駆動し（このとき、排水ポンプ２７は機能しない）、逆転によって排水ポンプ２７を駆動する（このとき、洗浄ポンプ２６は機能しない）ようになっている。
【００１２】
このほか、洗浄槽９の外下方部には、洗浄槽９内と連通する貯水タンク２９を設けると共に、この貯水タンク２９と洗浄ポンプ２６の吸込口とを接続する接続管３０、及び貯水タンク２９と排水ポンプ２７の吸込口とを接続する接続管３１を設けている。又、洗浄ポンプ２６の吐出口は前記アーム支え１３に接続し、ひいては前記噴水アーム１２に接続しており、排水ポンプ２７の吐出口には排水ホース３２を接続している。
【００１３】
この構成により、前記水道から給水管２５及び給水弁２４を通じて供給される洗浄水が貯水タンク２９内から洗浄槽９内の下部に貯留され、この貯留された洗浄水が、洗浄ポンプ２６により、貯水タンク２９内から接続管３０を通じて吸入され、アーム支え１３を通じて噴水アーム１２に圧送される。この圧送された洗浄水は、噴水アーム１２が上部に有する複数の噴水口１２ａからそれぞれ噴出されるものであり、その噴水の反動によって噴水アーム１２は回転もする。
【００１４】
かくして、洗浄水が洗浄槽９内に満遍なく噴射され、前記下段の食器かご１４及び上段の食器かご２１によって洗浄槽９内に配列された食器の洗浄、すすぎが行われる。従って、洗浄ポンプ２６と噴水アーム１２は、洗浄槽９内に配列された食器を洗浄する洗浄機構３３を構成するものである。
一方、排水ポンプ２７は、洗浄槽９内の洗浄水を、排水時に貯水タンク２９内から接続管３１を通じて吸入し、そして、排水ホース３２を通じて機外に排出するようになっている。
【００１５】
なお、洗浄槽９の背部には送風装置３４をも設けており、この送風装置３４は、前記食器の洗浄、すすぎを行った後の乾燥時に、外気を吸入し、それをダクト３５を通じて洗浄槽９の下部から内部に送り込むようになっている。又、その乾燥時には洗浄槽９内の空気が前記ヒータ１１により加熱されて温風化されるようになっており、前記洗浄、すすぎ時には洗浄槽９内の洗浄水が同じくヒータ１１により加熱されて温水化されるようになっている。
【００１６】
更に、洗浄槽９の背部の下部には水位検知装置３６を設けており、この水位検知装置３６は、図示しない接続管により貯水タンク２９内と連通し、ひいては洗浄槽９内と連通していて、洗浄槽９内の前記洗浄水の水位を検知するようになっている。
加えて、前記本体１の前面の下部には、図３に示す操作パネル３７を設けており、この操作パネル３７は、上述の洗浄、すすぎ、及び乾燥など、食器洗浄機の運転に係る操作を使用者が行うためのもので、各種の操作キー３８を有すると共に、表示部３９を有している。
【００１７】
ここで、前記下段の食器かご１４について詳述する。
この下段の食器かご１４は、この場合、ワイヤを溶接により組んで構成したもので、図１及び図４から明らかなように、全体として、浅底の直方体容器状を成している。そして、それの前記茶碗や汁椀１５及び小皿１６等を配列する左側半部には、それらの食器を起立状態に支持する複数（この場合、前後２組）の食器支持部４０，４１を、それぞれ下記のように構成して有している。
【００１８】
まず、後側の食器支持部４０は、線状のベース部材４２を複数本（この場合、２本）有しており、このベース部材４２にピン状の第１の支え部材４３と同じくピン状の第２の支え部材４４とをともに複数（この場合、多数）突設している。そのうち、第１の支え部材４３の配列のピッチはＡ，Ｂで、第２の支え部材４４の配列のピッチはＣであり、その前者（Ａ，Ｂ）より後者（Ｃ）を大きくして、双方のピッチを異ならせている。又、第１の支え部材４３と第２の支え部材４４は、ともに図１に示すようにベース部材４２からほゞ直角に突設しているが、その両位置をベース部材４２の軸方向に見てほゞ９０度角ずらすことにより、結局、双方のベース部材４２からの突設角度を異ならせている。
【００１９】
そして、ベース部材４２を下段の食器かご１４の後側の底面上に前後平行に配置し、その双方の両端部を、おのおの下段の食器かご１４の底面に固着した軸受部材４５の両端（前後）のカール部に挿通して、ともに回動可能に支持している。又、ベース部材４２の右側の一端部は起立させて、それに連結部材４６の両端（これも前後）のカール部を嵌合し、この連結部材４６を図６の右半部にも示す止め輪４７にて抜け止めすることにより、該連結部材４６で複数本（この場合、２本）のベース部材４２を連結している。
【００２０】
他方、ベース部材４２の左側の他端部は、図１に示すように起立させて、それに操作部材４８の長孔４９を嵌合することにより、該操作部材４８で連結している。しかして、操作部材４８は、下段の食器かご１４の外周部、特にはそれの上辺部に、該部のワイヤに沿ってのスライド可能に取付けており、この操作部材４８を使用者がスライド操作することにより、長孔４９からベース部材４２の他端部に回動力が与えられて、ベース部材４２が回動され、それによって、第１の支え部材４３と第２の支え部材４４との起立の選択がなされるようになっている（第１の支え部材４３を起立させた状態を図４の上半部、図７の左半部、図９の右半部、図１１に示し、第２の支え部材４４を起立させた状態を図１、図５の上半部、図８の左半部、図１０の右半部、図１２に示す）。
【００２１】
操作部材４８には又、上面に表示５０を施している。この表示５０は、食器支持部４０が操作部材４８の上記操作に応動して第１の支え部材４３及び第２の支え部材４４によりそれぞれ支持することが可能な食器の種類を表すもので、具体的には、この場合、図１４に示すように、食器の種類を例えば「茶わん」と「深鉢」の文字で表す表示を、操作部材４８の操作方向を表す矢印記号とともに記している。
【００２２】
一方、前側の食器支持部４１も、上記後側の食器支持部４０と同様の構成にて、線状のベース部材５１を複数本（この場合、２本）有しており、このベース部材５１にピン状の第１の支え部材５２と同じくピン状の第２の支え部材５３とをともに複数（この場合、多数）突設している。
【００２３】
そのうち、第１の支え部材５２の配列のピッチは図４に示すＡ，Ｂで、第２の支え部材５３の配列のピッチは同図に示すＤであり、その前者（Ａ，Ｂ）は前記後側の食器支持部４０における第１の支え部材４３のピッチＡ，Ｂと同じであるが、後者（Ｄ）は前記後側の食器支持部４０における第２の支え部材４４のピッチＣよりも更に大きくして、それらのピッチを異ならせると共に、それらのピッチの違いを、前記後側の食器支持部４０における第１の支え部材５２と第２の支え部材５３とのピッチの違いと異ならせている。
【００２４】
更に、第１の支え部材５２と第２の支え部材５３も、ともにベース部材５１からほゞ直角に突設しているが、その両位置をベース部材５１の軸方向に見てほゞ９０度角ずらすことにより、結局、双方のベース部材５１からの突設角度を異ならせている。
【００２５】
加えて、後側の食器支持部４０における第１の支え部材４３と第２の支え部材４４の長さがともに図９の右半部、図１０の右半部に示すＸで、同じであるのに対し、この前側の食器支持部４１における第１の支え部材５２の長さは図９の左半部に示すＸ（上記後側の食器支持部４０における第１の支え部材４３及び第２の支え部材４４の長さと同じ）で、第２の支え部材５３の長さは図１０の左半部に示すＹであり、その前者（Ｘ）よりも後者（Ｙ）を大きくして、双方の長さを異ならせている。
【００２６】
そして、ベース部材５１を下段の食器かご１４の後側の底面上に前後平行に配置し、その双方の両端部を、おのおの下段の食器かご１４の底面に固着した軸受部材５４の両端（前後）のカール部に挿通して、ともに回動可能に支持している。又、ベース部材５１の右側の一端部は起立させて、それに連結部材５５の両端（これも前後）のカール部を嵌合し、この連結部材５５を図６の左半部にも示す止め輪５６にて抜け止めすることにより、該連結部材５５で複数本（この場合、２本）のベース部材５１を連結している。
【００２７】
他方、ベース部材５１の左側の他端部は、起立させて、それに操作部材５７の図８の右半部に示す長孔５８を嵌合することにより、該操作部材５７で連結している。しかして、操作部材５７は、下段の食器かご１４の外周部、特にはそれの上辺部に、該部のワイヤに沿ってのスライド可能に取付けており、この操作部材５７を使用者がスライド操作することにより、長孔５８からベース部材５１の他端部に回動力が与えられて、ベース部材５１が回動され、それによって、第１の支え部材５２と第２の支え部材５３との起立の選択がなされるようになっている（第１の支え部材５２を起立させた状態を図４の下半部、図７の右半部、図９の左半部に示し、第２の支え部材５３を起立させた状態を図５の下半部、図８の右半部、図１０の左半部、図１３に示す）。
【００２８】
操作部材５７には又、上面に、図１５に示す表示５９を施している。この表示５９は、食器支持部４１が操作部材５７の上記操作に応動して第１の支え部材５２及び第２の支え部材５３によりそれぞれ支持することが可能な食器の種類を表すもので、具体的には、この場合、食器の種類を例えば「汁わん」と「どんぶり」の文字で表す表示を、操作部材５７の操作方向を表す矢印記号とともに記している。
【００２９】
なお、上段の食器かご２１は、図３に示すように、左右の両側部にスライド用部材６０を有していて、このスライド用部材６０を洗浄槽９内の両側面上部に形成したレール６１に沿ってスライドさせる引出し方式にて、前記食器出入口１０を通じ出し入れされるようにしている。更に、この場合、スライド用部材６０は、レール６１に嵌合するのに複数の溝６２，６３を有しており、それを選択することによって、上段の食器かご２１の高さ位置を変更でき、セットする食器の大きさに合う高さ位置が得られるようにしている。この関係上、上段の食器かご２１は、食器の支持構造を変化させることが可能なようには形成していないが、下段の食器かご１４同様に食器の支持構造を変化させることが可能なように形成しても良い。
【００３０】
そして、下段の食器かご１４も、底部の左右両側部にスライド用部材６４を有しており、このスライド用部材６４を洗浄槽９内の両側面下部に形成したレール６５に沿ってスライドさせる引出し方式にて、前記食器出入口２０を通じ出し入れされるようにしている。
【００３１】
さて、本構成のものの場合、既述のように、下段の食器かご１４の後側の食器支持部４０を回動させることで、ピッチの異なる第１の支え部材４３と第２の支え部材４４との起立の選択がなされ、前側の食器支持部４１を回動させることで、同じくピッチの異なる第１の支え部材５２と第２の支え部材５３との起立の選択がなされる。このうち、後側の食器支持部４０の第１の支え部材４３を起立させた状態では、この後側の食器支持部４０には、図４の上半部、図７の左半部、図９の右半部、図１１に示すように、第１の支え部材４３のピッチＡの各部分に茶碗又は汁椀１５を差し込んで起立状態に支持でき、ピッチＢの各部分に小皿１６を差し込んで起立状態に支持できる。これに対して、後側の食器支持部４０の第２の支え部材４４を起立させた状態では、この後側の食器支持部４０には、図５の上半部、図８の左半部、図１０の右半部、図１２に示すように、第２の支え部材４４のピッチＣの各部分に上記茶碗又は汁椀１５よりも深さの大きな深鉢６６を差し込んで起立状態に支持できる。
【００３２】
一方、下段の食器かご１４における前側の食器支持部４１の第１の支え部材５２を起立させた状態では、この前側の食器支持部４１には、図４の下半部、図７の右半部、図９の左半部に示すように、第１の支え部材５２のピッチＡの各部分に茶碗又は汁椀１５を差し込んで起立状態に支持でき、ピッチＢの各部分に小皿１６を差し込んで起立状態に支持できる。これに対して、前側の食器支持部４１の第２の支え部材５３を起立させた状態では、この前側の食器支持部４１には、図５の下半部、図８の右半部、図１０の左半部、図１３に示すように、第２の支え部材５３のピッチＤの各部分に上記茶碗又は汁椀１５よりも更に深さの大きなどんぶり６７を差し込んで起立状態に支持できる。
【００３３】
このように本構成のものでは、下段の食器かご１４の後側の食器支持部４０を回動させることで、ピッチの異なる第１の支え部材４３と第２の支え部材４４との起立の選択がなされ、前側の食器支持部４１を回動させることで、同じくピッチの異なる第１の支え部材５２と第２の支え部材５３との起立の選択がなされるから、食器の深さに合う方の支え部材を起立させ、それによって食器のセットが無理なくできる。よって、洗浄不良や乾燥不良等を生じることもなくなり、深さの異なる色々な種類の食器をそれぞれ正常に洗浄することができる。
【００３４】
加えて、特に本構成のものの場合、食器支持部４０，４１のそれぞれ複数本のベース部材４２，５１は、１本ずつを個別に回動させるようにしても良いが、連結部材４６，５５でそれぞれ連結しており、それによって、それら複数本のベース部材４２，５１を連動させることができ、使用者の操作を容易ならしめ得る。
又、食器支持部４０，４１のそれぞれ複数本のベース部材４２，５１は、それら複数本のベース部材４２，５１を操作するための共通の操作部材４８，５７によって連結しており、それによっても、それら複数本のベース部材４２，５１を連動させることができるので、使用者の操作を容易ならしめ得る。
【００３５】
更に、操作部材４８，５７は食器かご１４の外周部に設けており、食器かご１４にセットされた食器に邪魔されずに操作ができるので、操作性を良くすることができる。
そのほか、操作部材４８，５７の操作に関して、食器支持部４０，４１が支持可能な食器の種類をそれぞれ表示５０，５９により表示しており、これによって、操作を分かりやすくできる。
【００３６】
そして、下段の食器かご１４には複数組の食器支持部４０，４１が存し、そのうちの食器支持部４０における第１の支え部材４３と第２の支え部材４４とのピッチの違いと、食器支持部４１における第１の支え部材５２と第２の支え部材５３とのピッチの違いとを異ならせている。それにより、食器の深さの違いに対応することが、より豊富にできる。
なお、食器支持部４１においては、第１の支え部材５２と第２の支え部材５３とのピッチと角度を異ならせるのみならず、それらの長さをも異ならせている。これにより、セットする食器の大きさ（径）に合った支え部材の長さまで得られ、食器の支持がより確実にできる。
【００３７】
又、操作部材４８，５７は、その操作がスライドでできるようにしており、これによっても操作性を良くできる。
更に、食器支持部４０，４１は、茶碗や汁椀１５、小皿１６、深鉢６６、どんぶり６７といった和食器に対応するもので、和食器はその種類が多いから、それの支持が食器別に変化させてできる本構成のものの価値が高い。
【００３８】
以上に対して、図１６ないし図２６は本発明の第２ないし第８実施例（第２ないし第８の実施形態）を示すもので、第１実施例と同一の部分には同一の符号を付して説明を省略し、異なる部分についてのみ述べる。
【００３９】
［第２実施例］
図１６に示す第２実施例においては、食器支持部４０の複数本のベース部材４２を操作部材４８で連結しているのみで、連結部材４６の使用をしていない。
このようにしても、連結部材４６による作用効果以外、第１実施例同様の作用効果を得ることができる。
なお、食器支持部４１も、このように構成しても良い。
【００４０】
［第３実施例］
図１７に示す第３実施例においては、食器支持部４０の複数本のベース部材４２を連結部材４６で連結しているのみで、操作部材４８の使用をしていない。
このようにしても、食器支持部４０は使用者が手で片側のベース部材４２を直接操作すれば良く、従って、操作部材４８による作用効果以外、第１実施例同様の作用効果を得ることができる。
なお、この場合も、食器支持部４１をこのように構成しても良い。
【００４１】
［第４実施例］
図１８に示す第４実施例においては、上記第３実施例のものにおいて、片側のベース部材４２の起立した他端部を延ばし、その先端部につまみ７１を装着することによって、食器かご１４の外周部の近傍に位置する操作部材７２としている。
【００４２】
このものでは、使用者が手で食器支持部４０の片側のベース部材４２を直接操作するのが容易且つ確実にできるようになる。又、その操作が、食器かご１４にセットされた食器に邪魔されずにできるので、操作性を良くすることができる。このものの場合、操作部材７２の操作に関しては、前述の表示５０に代わる表示を、食器かご１４や洗浄槽９の内側面部に設けるようにすると良い。
なお、この場合も、食器支持部４１をこのように構成しても良い。
【００４３】
［第５実施例］
図１９に示す第５実施例においては、食器支持部４０，４１の操作部材４８，５７における前述の表示５０，５９に代わる表示８１として、食器の種類を「標準」と「大（深）」の文字で深さ別に略的に表す表示を、操作部材４８，５７の操作方向を表す矢印記号とともに記すものを示している。
このようにしても、前述同様の、操作を分かりやすくできる効果が得られる。
【００４４】
［第６実施例］
図２０及び図２１に示す第６実施例においては、食器支持部４０，４１を押え部材９１で押えるようにしている。その押え部材９１は、詳細には線ばねから成っており、両端のカール部９１ａを下段の食器かご１４の底部ワイヤに掛けて、それらの間の中間部を、後側の食器支持部４０の前側のベース部材４２の一端部の起立部４２ａと、前側の食器支持部４１の後側のベース部材５１の一端部の起立部５１ａとに上方より圧接させることにより、食器支持部４０，４１を共通に押えるようにしている。
【００４５】
このようにすることにより、食器支持部４０，４１を第１の支え部材４３，５２が起立する状態としたとき（図２１に実線で図示）には、食器支持部４０の前側のベース部材４２の一端部の起立部４２ａと食器支持部４１の後側のベース部材５１の一端部の起立部５１ａとを押え部材９１で押えて、食器支持部４０，４１をその第１の支え部材４３，５２が起立する状態に保持でき、食器支持部４０，４１を第２の支え部材４４，５３が起立する状態としたとき（図２１に二点鎖線で図示）には、同じく、食器支持部４０の前側のベース部材４２の一端部の起立部４２ａと食器支持部４１の後側のベース部材５１の一端部の起立部５１ａとを押え部材９１で押えて、食器支持部４０，４１をその第２の支え部材４４，５３が起立する状態に保持できる。
【００４６】
よって、食器支持部４０，４１の第１の支え部材４３，５２及び第２の支え部材４４，５３がそれぞれ起立状態から戻り倒れることが、より確実になくなり、それぞれの食器の支持が、より確実にできる。又、第１の支え部材４３，５２及び第２の支え部材４４，５３の起立の切り替えをするときには、押え部材９１が図２１に二点鎖線で示すように一旦押し上げられて戻ることによるクリック感が得られるので、操作感を良くすることができる。
【００４７】
又、この場合、押え部材９１は、複数の食器支持部４０，４１に共通に設けており、その食器支持部４０，４１の一つ一つに別々に設けるより、構造を合理的にできて、コストを安く抑えることができる。
なお、押え部材９１は、線ばねから成るものに限られず、板ばねから成るものであっても良い。
【００４８】
［第７実施例］
図２２ないし図２５に示す第７実施例においては、下段の食器かご１４の大皿１９を配列した右側半部に、その食器を起立状態に支持する食器支持部１０１を構成して有している。
この食器支持部１０１も、上記食器支持部４０，４１と同様の構成にて、線状のベース部材１０２を複数本（この場合、２本）有しており、このベース部材１０２にピン状の第１の支え部材１０３と同じくピン状の第２の支え部材１０４とをともに複数（この場合、多数）突設している。
【００４９】
そのうち、第１の支え部材１０３の配列のピッチはＥで、第２の支え部材１０４の配列のピッチはＦであり、その前者（Ｅ）より後者（Ｆ）を大きくして、双方のピッチを異ならせている。
更に、第１の支え部材１０３と第２の支え部材１０４も、ともにベース部材１０２からほゞ直角に突設しているが、その両位置をベース部材１０２の軸方向に見てほゞ９０度角ずらすことにより、結局、双方のベース部材１０２からの突設角度を異ならせている。
そして、ベース部材１０２を下段の食器かご１４の後側の底面上に前後平行に配置し、その双方の両端部を、おのおの下段の食器かご１４の底面に固着した軸受部材１０５の両端（前後）のカール部に挿通して、ともに回動可能に支持している。
【００５０】
ベース部材１０２の右側の端部は、起立させて、それに操作部材１０６の長孔１０７を嵌合することにより、該操作部材１０６で連結している。しかして、操作部材１０６は、下段の食器かご１４の外周部、特にはそれの上辺部に、該部のワイヤに沿ってのスライド可能に取付けており、この操作部材１０６を使用者がスライド操作することにより、長孔１０７からベース部材１０２の端部に回動力が与えられて、ベース部材１０２が回動され、それによって、第１の支え部材１０３と第２の支え部材１０４との起立の選択がなされるようになっている（第１の支え部材１０３を起立させた状態を図２２、図２３、図２４に示している）。
【００５１】
操作部材１０６には又、上面に表示１０８を施している。この表示１０８は、食器支持部４１が操作部材１０６の上記操作に応動して第１の支え部材１０３及び第２の支え部材１０４によりそれぞれ支持することが可能な食器の種類を表すもので、具体的には、この場合、図２５に示すように、食器の種類を例えば「浅皿」と「深皿」の文字で表す表示を、操作部材１０６の操作方向を表す矢印記号とともに記している。
【００５２】
このように本構成のものでは、食器支持部１０１を回動させることで、ピッチの異なる第１の支え部材１０３と第２の支え部材１０４との起立の選択がなされるもので、そのうち、第１の支え部材１０３を起立させた状態では、食器支持部１０１には、図２２に示すように、第１の支え部材１０３のピッチＥの各部分に大皿１９を差し込んで起立状態に支持できるのに対して、第２の支え部材１０４を起立させた状態では、食器支持部１０１には、図示しないが、第２の支え部材１０４のピッチＦの各部分に上記大皿１９よりも深さの大きな深皿を差し込んで起立状態に支持できる。
【００５３】
かくして、この場合も、食器の深さに合う方の支え部材を起立させ、それによって食器のセットが無理なくできる。よって、洗浄不良や乾燥不良等を生じることもなくなり、深さの異なる色々な種類の食器をそれぞれ正常に洗浄することができる。
更に、食器支持部１０１は、大皿１９や深皿といった洋食器に対応するもので、和食器に対応した前述の食器支持部４０，４１との使い分けができて、使い勝手を良くできる。
【００５４】
［第８実施例］
図２６に示す第８実施例においては、食器支持部１０１で代表して示すが、食器支持部４０，４１，１０１のベース部材４２，５１，１０２を食器かご１４に軸支せず、支え部材のいずれか、例えば第１の支え部材４３，５２，１０３のうちのそれぞれ両端に位置する第１の支え部材４３，５２，１０３を下方へ延ばしてカールさせ、そのカール部１１１を食器かご１４の底部ワイヤに回動可能に取付けて、食器支持部４０，４１，１０１を回動させるようにしている。
【００５５】
このようにしても、食器支持部４０，４１，１０１のピッチの異なる第１の支え部材４３，５２，１０３と第２の支え部材４４，５３，１０４との起立の選択が前述同様になされるから、前述同様の作用効果を得ることができる。
なお、洗浄槽内には上段の食器かごがなくても良い。又、食器かご及び食器支持部はプラスチック製で、特に食器支持部の第１の支え部材と第２の支え部材はベース部材に一体に成形されていても良い。
そのほか、本発明は上記し且つ図面に示した実施例にのみ限定されるものではなく、要旨を逸脱しない範囲内で適宜変更して実施し得る。
【図面の簡単な説明】
【００５６】
【図１】本発明の第１実施例を示す１つの主要部分の斜視図
【図２】食器洗浄機全体の縦断側面図
【図３】食器洗浄機全体の、扉を取除いた状態の正面図
【図４】主要部分の平面図
【図５】主要部分のセット食器の異なる平面図
【図６】図４のＨ−Ｈ線に沿う断面図
【図７】図４の矢印Ｉ方向から見た側面図
【図８】図５の矢印Ｊ方向から見た側面図
【図９】図４のＫ−Ｋ線に沿う断面図
【図１０】図５のＬ−Ｌ線に沿う断面図
【図１１】図４のＭ−Ｍ線に沿う断面図
【図１２】図５のＮ−Ｎ線に沿う断面図
【図１３】図５のＯ−Ｏ線に沿う断面図
【図１４】操作部材の平面図
【図１５】異なる操作部材の平面図
【図１６】本発明の第２実施例を示す図１相当図
【図１７】本発明の第３実施例を示す図１相当図
【図１８】本発明の第４実施例を示す図１相当図
【図１９】本発明の第５実施例を示す図１４（図１５）相当図
【図２０】本発明の第６実施例を示す図４部分相当図
【図２１】図２０のＰ−Ｐ線に沿う断面図
【図２２】本発明の第７実施例を示す異なる主要部分の平面図
【図２３】異なる主要部分の斜視図
【図２４】図２２のＱ−Ｑ線に沿う断面図
【図２５】図１４相当図
【図２６】本発明の第８実施例を示す図２３部分相当図
【符号の説明】
【００５７】
図面中、９は洗浄槽、１４は食器かご、３３は洗浄機構、４０，４１，１０１は食器支持部、４２，５１，１０２はベース部材、４３，５２，１０３は第１の支え部材、４４，５３，１０４は第２の支え部材、４６，５５は連結部材、４８，５７，７２，１０６は操作部材、５０，５９，８１，１０８は表示、９１は押え部材を示す。
【図１】
2006239140.tif 000003
【図２】
2006239140.tif 000004
【図３】
2006239140.tif 000005
【図４】
2006239140.tif 000006
【図５】
2006239140.tif 000007
【図６】
2006239140.tif 000008
【図７】
2006239140.tif 000009
【図８】
2006239140.tif 000010
【図９】
2006239140.tif 000011
【図１０】
2006239140.tif 000012
【図１１】
2006239140.tif 000013
【図１２】
2006239140.tif 000014
【図１３】
2006239140.tif 000015
【図１４】
2006239140.tif 000016
【図１５】
2006239140.tif 000017
【図１６】
2006239140.tif 000018
【図１７】
2006239140.tif 000019
【図１８】
2006239140.tif 000020
【図１９】
2006239140.tif 000021
【図２０】
2006239140.tif 000022
【図２１】
2006239140.tif 000023
【図２２】
2006239140.tif 000024
【図２３】
2006239140.tif 000025
【図２４】
2006239140.tif 000026
【図２５】
2006239140.tif 000027
【図２６】
2006239140.tif 000028